(57)【要約】   【課題】  複数の端末装置とネットワークを介して接続され、前記複数の端末装置からの操作指示によって所定の動作を行なう電気機器が適切なタイミングでシャットダウンされることにより、無駄な電力を消費することなく、業務等に支障を来たすことなく、更には、前記電気機器のセキュリティ管理に好適な電源管理装置を提供する。  【解決手段】  電気機器への通電を遮断する通電制御部１０と、前記複数の端末装置に前記電気機器への通電が遮断される旨のシャットダウン情報を送信するシャットダウン情報送信部１１とを備え、前記通電制御部１０は、前記シャットダウン情報が送信された後に前記電気機器の通電を遮断する。  【選択図】  図３
2006252084.tif 000002
【特許請求の範囲】
【請求項１】
複数の端末装置にネットワークを介して接続され、前記複数の端末装置からの操作指示によって所定の動作を行なう電気機器の電源管理装置であって、
前記電気機器への通電を遮断する通電制御部と、前記複数の端末装置に前記電気機器への通電が遮断される旨のシャットダウン情報を送信するシャットダウン情報送信部とを備え、前記通電制御部は、前記シャットダウン情報が送信された後に前記電気機器の通電を遮断する電源管理装置。
【請求項２】
前記複数の端末装置から前記シャットダウン情報送信部により送信されたシャットダウン情報に対する応答情報を受信する応答情報受信部を備え、前記応答情報が前記電気機器への通電を遮断することに対して拒否する旨の情報であった場合に、前記電気機器のオン状態を維持する請求項１に記載の電源管理装置。
【請求項３】
前記電気機器のオン状態を維持したときに、所定時間の後に再度、前記複数の端末装置に前記シャットダウン情報を送信する請求項２に記載の電源管理装置。
【請求項４】
前記複数の端末の少なくとも一つが前記電気機器の主管理端末装置であって、
前記主管理端末装置に対して前記主管理端末装置の電源が入っているか否かを検知する検知信号を送信する検知信号送信部と、前記主管理端末装置から前記検知信号送信部によって送信された検知信号に対する検知応答信号を受信する検知応答信号受信部とを備え、前記シャットダウン情報送信部は、前記応答信号受信部が所定の時間内に前記主管理端末装置からの検知応答信号を受信できなかったときに、前記複数の端末装置に前記シャットダウン情報を送信する請求項１に記載の電源管理装置。
【請求項５】
前記複数の端末に関するネットワーク接続情報を格納する端末情報記憶部を備え、前記シャットダウン情報送信部は、前記端末情報記憶部にネットワーク接続情報が格納され、且つ、電源の入っている端末にのみ前記シャットダウン情報を送信する請求項１から４の何れかに記載の電源管理装置。
【請求項６】
外部からの電源操作を受け付けるパワースイッチと、前記電気機器のオン状態を維持する時間が予め格納されているスケジューラとを備え、前記シャットダウン情報送信部は、前記スケジューラに基づいて、或いは、前記パワースイッチの操作によって前記複数の端末装置に前記シャットダウン情報を送信する請求項１から５の何れかに記載の電源管理装置。
【発明の詳細な説明】
【技術分野】
【０００１】
本発明は、複数の端末装置にネットワークを介して接続され、前記複数の端末装置からの操作指示によって所定の動作を行なう電気機器の電源管理装置に関する。
【背景技術】
【０００２】
近年、ネットワークなどを介して接続されている複数の端末装置から電気機器を制御することが行なわれている。例えば、印刷データを印刷する印刷装置などである。このような印刷装置は、接続されているホストコンピュータなどの端末装置からの印刷指示により送信された印刷データを変換して印刷イメージデータを作成する印刷制御部と、この印刷制御部によって作成された印刷イメージデータを用紙に印刷する印刷部とから構成されている。印刷制御部は、ネットワークを介して端末装置と接続され、端末装置からの印刷指示により印刷部が用紙に印刷を行うように制御するものである。
【特許文献１】特開２００１−３５３９２９号公報
【発明の開示】
【発明が解決しようとする課題】
【０００３】
しかし、複数の端末装置とネットワークを介して電気機器とを接続している場合には、前記各端末装置間、或いは、各端末装置と前記電気機器とは、離隔して設置される場合が多く、例えば、オフィス等での業務時間の終了後に、前記各端末装置の電源がオフされた後、使用されることのない状態で、前記電気機器の電源がオンにされたままにされ、無駄な電力を消費するといったことや、前記電気機器を使用すべく前記端末装置が使用されているときに、先に前記電気機器がシャットダウンされてしまうことで業務に支障を来たすなどといったことが問題となっていた。
【０００４】
また、複数の端末装置とネットワークを介して電気機器とを接続している場合であって、前記複数の端末装置の一台が前記電気機器に関するセキュリティなどを管理する主管理端末装置であった場合に、前記主管理端末装置の電源がオフされているにもかかわらず、前記電気機器がオンされたままの状態となることで、他の端末装置によって前記電気機器が使用されると、セキュリティ管理に不都合が生じるなどといったことも問題となっていた。
【０００５】
本発明は、上述の従来欠点に鑑み、複数の端末装置とネットワークを介して接続され、前記複数の端末装置からの操作指示によって所定の動作を行なう電気機器が適切なタイミングでシャットダウンされることにより、無駄な電力を消費することなく、業務等に支障を来たすことなく、更には、前記電気機器のセキュリティ管理に好適な電源管理装置を提供する点にある。
【課題を解決するための手段】
【０００６】
上述の目的を達成するため、本発明による電源管理装置の第一の特徴構成は、特許請求の範囲の書類の請求項１に記載した通り、複数の端末装置にネットワークを介して接続され、前記複数の端末装置からの操作指示によって所定の動作を行なう電気機器の電源管理装置であって、前記電気機器への通電を遮断する通電制御部と、前記複数の端末装置に前記電気機器への通電が遮断される旨のシャットダウン情報を送信するシャットダウン情報送信部とを備え、前記通電制御部は、前記シャットダウン情報が送信された後に前記電気機器の通電を遮断する点にある。
【０００７】
上述の構成によれば、電気機器への通電が遮断される前に、つまり、前記電気機器がシャットダウンされる前に、前記電気機器にネットワークを介して接続されている端末装置の使用者が、前記電気機器への通電が遮断される旨のシャットダウン情報を得ることが可能な電源管理装置となるのである。
【０００８】
同第二の特徴構成は、同請求項２に記載した通り、上述の第一の特徴構成に加えて、前記複数の端末装置から前記シャットダウン情報送信部により送信されたシャットダウン情報に対する応答情報を受信する応答情報受信部を備え、前記応答情報が前記電気機器への通電を遮断することに対して拒否する旨の情報であった場合に、前記電気機器のオン状態を維持する点にある。
【０００９】
上述の構成によれば、電気機器への通電が遮断される前に、前記電気機器にネットワークを介して接続されている端末装置の使用者が、前記電気機器への通電が遮断される旨のシャットダウン情報を得ることができ、また、例えば、前記使用者が前記電気機器を使用する予定が残っていて、前記電気機器のシャットダウンが実行されると困る場合に、前記電気機器への通電を遮断することに対して拒否する旨の情報である応答情報を送信することにより、不意な前記電気機器のシャットダウンを回避し、前記端末装置の使用者が業務等に支障を来たすことのない電源管理装置とすることができるのである。
【００１０】
同第三の特徴構成は、同請求項３に記載した通り、上述の第二の特徴構成に加えて、前記電気機器のオン状態を維持したときに、所定時間の後に再度、前記複数の端末装置に前記シャットダウン情報を送信する点にある。
【００１１】
上述の構成によれば、シャットダウン情報の送信に対して、電気機器への通電を遮断することに対して拒否する旨の応答情報が受信されなくなるまで、所定時間毎に前記シャットダウン情報を送信するため、前記電気機器への通電を遮断することに対して拒否する旨の応答情報が受信されなくなったときに、つまり、前記電気機器が使用されることがなくなったときに、速やかに前記電気機器への通電を遮断することができ、前記電源機器が無駄な電力を消費することのない電源管理装置とすることができるのである。
【００１２】
同第四の特徴構成は、同請求項４に記載した通り、上述の第一の特徴構成に加えて、前記複数の端末の少なくとも一つが前記電気機器の主管理端末装置であって、前記主管理端末装置に対して前記主管理端末装置の電源が入っているか否かを検知する検知信号を送信する検知信号送信部と、前記主管理端末装置から前記検知信号送信部によって送信された検知信号に対する検知応答信号を受信する検知応答信号受信部とを備え、前記シャットダウン情報送信部は、前記応答信号受信部が所定の時間内に前記主管理端末装置からの検知応答信号を受信できなかったときに、前記複数の端末装置に前記シャットダウン情報を送信する点にある。
【００１３】
上述の構成によれば、主管理端末装置の電源の状態を常に確認することができ、前記主管理端末装置の電源がオフになったときには、速やかに前記電気機器をシャットダウンすることができるのである。つまり、前記電源機器が無駄な電力を消費することのない電源管理装置とするとともに、前記電気機器のセキュリティ管理に好適な電源管理装置とすることができるのである。
【００１４】
同第五の特徴構成は、同請求項５に記載した通り、上述の第一から第四の何れかの特徴構成に加えて、前記複数の端末に関するネットワーク接続情報を格納する端末情報記憶部を備え、前記シャットダウン情報送信部は、前記端末情報記憶部にネットワーク接続情報が格納され、且つ、電源の入っている端末にのみ前記シャットダウン情報を送信する点にある。
【００１５】
上述の構成によれば、電源の入っている端末にのみシャットダウン情報を送信するため、前記シャットダウン情報を送信する時間を短縮することができ、より速やかに前記電源機器への通電が遮断されることとなり、更に、前記電源機器が無駄な電力を消費することのない電源管理装置とすることができるのである。
【００１６】
同第六の特徴構成は、同請求項６に記載した通り、上述の第一から第五の何れかの特徴構成に加えて、外部からの電源操作を受け付けるパワースイッチと、前記電気機器のオン状態を維持する時間が予め格納されているスケジューラとを備え、前記シャットダウン情報送信部は、前記スケジューラに基づいて、或いは、前記パワースイッチの操作によって前記複数の端末装置に前記シャットダウン情報を送信する点にある。
【００１７】
上述の構成によれば、パワースイッチによって電源操作を行なうことが可能となるとともに、パワースイッチによって電源操作が行なわれたときに、ネットワークを介して接続されている端末装置の使用者が、前記電気機器への通電が遮断される旨のシャットダウン情報を得ることができ、不意な前記電気機器のシャットダウンを回避し、前記端末装置の使用者が業務等に支障を来たすことのない電源管理装置とすることができるのである。
【００１８】
また、予め前記電気機器のオン状態を維持する時間が格納されているスケジューラに基づいて前記電気機器への通電が遮断されるため、前記電源機器が無駄な電力を消費することのない電源管理装置とすることができるとともに、ネットワークを介して接続されている端末装置の使用者が、前記電気機器への通電が遮断される旨のシャットダウン情報を得ることができ、不意な前記電気機器のシャットダウンを回避し、前記端末装置の使用者が業務等に支障を来たすことのない電源管理装置とすることができるのである。
【発明の効果】
【００１９】
以上説明した通り、本発明によれば、複数の端末装置とネットワークを介して接続され、前記複数の端末装置からの操作指示によって所定の動作を行なう電気機器が適切なタイミングでシャットダウンされることにより、無駄な電力を消費することなく、業務等に支障を来たすことなく、更には、前記電気機器のセキュリティ管理に好適な電源管理装置を提供することができるようになった。
【発明を実施するための最良の形態】
【００２０】
以下に本発明による電源管理装置を図１に示すような、リモートＵＩを備える複数の端末装置としてのホストコンピュータ８にネットワークとしてのＬＡＮ９を介して接続され、前記複数のホストコンピュータ８からの操作指示によって所定の動作を行なう電気機器としてのデジタル複写機１に適用した第一の実施形態について説明する。
【００２１】
前記デジタル複写機１は、図２に示すように、ローカルＵＩを備える操作表示手段７と、画像情報を入力する画像情報入力手段２と、前記画像情報入力手段２により入力された画像情報を格納するストレージデバイス３と、前記ストレージデバイス３から読み出された前記画像情報に基づいて所定の処理を実行する画像処理手段５と、前記ストレージデバイス３に対する前記画像情報の書込み処理または読出し処理を実行するとともに、前記画像処理手段による処理の終了後に前記画像情報を削除するファイル管理手段４の各機能ブロックと、各機能ブロックを統括制御するシステム制御手段６を備えて構成されている。
【００２２】
ここに、各機能ブロックには、マイクロコンピュータ、ＲＯＭ、ＲＡＭ、出力ドライバ回路、入力バッファ回路などを備えてなる制御ボードが実装され、同じくマイクロコンピュータ、ＲＯＭ、ＲＡＭ等を備えたシステム制御手段６との間で通信可能に接続されている。また、前記システム制御手段６は前記ＬＵＮ９を介して前記リモートＵＩを備える情報処理装置８と接続されている。
【００２３】
前記画像情報入力手段２は、コンタクトガラス２ａ上に配置された自動原稿搬送装置２ｂと、自動原稿搬送装置２ｂによりコンタクトガラス２ａ上に給送された原稿を読取走査する露光ランプ２ｃ及び原稿からの反射光を反射する第１ミラー２ｄを備えた第１スライダー２Ａと、第１ミラー２ｄによって反射された光を集光レンズ２ｇに導くための第２及び第３ミラー２ｅ、２ｆを備えた第２スライダー２Ｂと、集光レンズ２ｇからの光情報を電気信号に変換する固体撮像素子２ｈと、固体撮像素子２ｈの出力信号を画像情報としてのデジタルデータに変換する量子化処理、ノイズ除去処理、圧縮処理などを行なう入力画像処理部２ｉにより構成されている。
【００２４】
前記画像処理手段５は、画像形成部と記録紙搬送部を備えて構成され、前記画像形成部は、図示しないメイン駆動モータによって矢印の方向に回転駆動される感光体ドラム５ａ周囲に、その回転方向の順に、感光体ドラム５ａの表面の感光層を帯電させる帯電器５ｂ、感光層上に形成された静電潜像をトナー顕像として顕像化する現像装置５ｃ、感光層上に形成されたトナー顕像を記録紙に転写する転写用放電器５ｄ、感光体ドラム５ａから記録紙を分離するための分離用放電器５ｅ、転写後の感光体ドラム５ａ上に残留しているトナーを除去するクリーニング装置５ｆ及び感光体ドラム５ａ表面の電荷を除去する除電器５ｇを配置して構成され、帯電器５ｂにより一様に帯電された感光層に、前記ストレージデバイス３から読み出され伸張処理の後にビットマップメモリ５ｉに展開された画像情報に基づいてレーザユニット５ｈから出力されるレーザ光が照射されて静電潜像が形成され、前記現像装置５ｃによりトナー像が形成される。
【００２５】
前記記録紙搬送部は、給紙カセット５ｎ内の記録紙を給紙する給紙ローラ５ｊと、給紙ローラ５ｊによって送られてきた記録紙を所定のタイミングで感光体ドラム５ａに搬送するためのレジストローラ５ｋ及び感光体ドラム５ａ上に形成されたトナー顕像が転写されかつ感光体ドラム５ａから剥離された記録紙を定着ローラ５ｍまで搬送する搬送ベルト５ｌを備えている。定着ローラ５ｍによって定着処理された記録紙は、図示しない排出機構を介して排出トレイ上に排出される。
【００２６】
前記システム制御手段６は、前記複数のホストコンピュータ８、或いは、前記操作入力部７により入力された所定のジョブリクエストに基づいて、上述した各機能ブロックに制御コマンドを発し、各機能ブロックからのレポートを受信して所定の画像形成動作が正常に行なわれるように制御する。
【００２７】
本発明の電源管理装置は、前記システム制御手段６に構成されているもので、当該デジタル複写機１に対する電源管理にかかる機能ブロック構成は、図３に示すように、前記デジタル複写機１への通電を遮断する通電制御部１０と、前記各ホストコンピュータ８に前記デジタル複写機１への通電が遮断される旨のシャットダウン情報を送信するシャットダウン情報送信部１１と、前記各ホストコンピュータ８から送信される前記シャットダウン情報送信部により送信されたシャットダウン情報に対する応答情報を受信する応答情報受信部１２と、前記各ホストコンピュータ８に関するネットワーク接続情報を格納する端末情報記憶部１３と、前記デジタル複写機１のオン状態を維持する時間等が予め格納されているスケジューラ１４とを備えて構成されている。また、当該電源管理装置は、前記操作表示手段７にパワースイッチ（不図示）を備えることにより、外部からの電源操作を受け付けることも可能なように構成されている。
【００２８】
前記端末情報記憶部１３に格納されている前記各ホストコンピュータ８に関するネットワーク接続情報は、前記各ホストコンピュータ８のアドレス情報等であり、前記シャットダウン情報送信部１１は、前記アドレス情報に基づいて前記シャットダウン情報を送信するように構成されている。
【００２９】
当該デジタル複写機１に対する電源管理にかかる動作について図４に示すフローチャートに基づいて説明する。前記スケジューラ１４は、当該デジタル複写機１に電源が投入されると（ＳＡ１）、当該デジタル複写機１の電源が投入されてから、或いは、当該デジタル複写機が所定のジョブを実行してから第一の所定時間をカウントするための、当該スケジューラ１４に備えている第一の内部カウンタＴをリセットし（ＳＡ２）、前記第一の内部カウンタＴのカウントを開始する（ＳＡ３）。また、当該デジタル複写機１に前記操作表示部７により、或いは、前記ＬＡＮ９を介して接続されている複数のホストコンピュータ８の何れかにより、所定のジョブの実行要求であるジョブリクエストが入力され（ＳＡ４）、当該デジタル複写機１が前記ジョブリクエストに基づいた所定のジョブを実行すると（ＳＡ５）、再び前記第一の内部カウンタＴをリセットする（ＳＡ２）。
【００３０】
前記シャットダウン情報送信部１１は、前記スケジューラ１４における前記第一の内部カウンタＴの値が予め前記スケジューラ１４に格納されている第一の所定の閾値Ｔｔｈを超えたとき、つまり、当該デジタル複写機１の電源が投入されてから或いは当該デジタル複写機が所定のジョブを実行してから第一の所定時間が経過したとき（ＳＡ６）、或いは、前記スケジューラに予め格納されている所定の時刻になったとき（ＳＡ７）、また或いは、前記操作表示部７に備えられたパワースイッチにより電源オフの操作が行なわれたとき（ＳＡ８）、前記端末情報記憶部１３に格納されているアドレス情報に基づいて、前記ＬＡＮ９を介して接続されている複数のホストコンピュータ８に対して、当該デジタル複写機１への通電を遮断する旨のシャットダウン情報を送信する（ＳＡ９）。
【００３１】
前記スケジューラ１４は、前記シャットダウン情報送信部１１によって前記シャットダウン情報が送信されると、当該スケジューラ１４に備えている第二の内部カウンタＫをリセットし（ＳＡ１０）、前記第二の内部カウンタＫのカウントを開始する（ＳＡ１１）。
【００３２】
また、前記スケジューラ１４は、前記応答情報受信部１２により、前記シャットダウン情報を送信した複数のホストコンピュータ８の何れかから、当該デジタル複写機１への通電を遮断することに対して拒否する旨の応答情報が受信されたときには（ＳＡ１２）、当該スケジューラ１４の前記第一の内部カウンタＴをリセットし（ＳＡ２）、再び前記第一の内部カウンタＴのカウントを開始する（ＳＡ３）。つまり、再び前記第一の所定の閾値Ｔｔｈを超えたときには、前記シャットダウン情報送信部１１によって、前記端末情報記憶部１３に格納されているアドレス情報に基づいて、前記ＬＡＮ９を介して接続されている複数のホストコンピュータ８に対して、当該デジタル複写機１への通電を遮断する旨のシャットダウン情報が送信される。
【００３３】
前記通電制御部１０は、前記スケジューラ１４における前記第二の内部カウンタＫが前記スケジューラ１４に予め格納されている第二の所定の閾値Ｋｔｈを超えたとき、つまり、第二の所定時間が経過しても、前記応答情報受信部１２により、前記シャットダウン情報を送信した複数のホストコンピュータ８の何れもから、当該デジタル複写機１への通電を遮断することに対して拒否する旨の応答情報が受信されなかったとき（ＳＡ１３）、当該デジタル複写機１への通電を遮断することにより、当該デジタル複写機１をシャットダウンする（ＳＡ１４）。
【００３４】
以下別の実施形態について説明する。上述では、前記デジタル複写機１にＬＵＮ９を介して接続されている複数のホストコンピュータ８において、前記複数のホストコンピュータ８は同等のものとした場合について説明したが、図５に示すように、前記複数のホストコンピュータ８における特定のホストコンピュータ８Ａが、前記デジタル複写機１のセキュリティを管理する主管理端末装置として接続されている第二の実施形態について説明する。
【００３５】
第二の実施形態における電源管理装置は、前記第一の実施形態における電源管理装置と同様に前記デジタル複写機１のシステム制御手段６に構成されているもので、当該デジタル複写機１に対する電源管理にかかる機能ブロック構成は、図６に示すように、前記デジタル複写機１への通電を遮断する通電制御部３０と、前記各ホストコンピュータ８に前記デジタル複写機１への通電が遮断される旨のシャットダウン情報を送信するシャットダウン情報送信部３１と、前記各ホストコンピュータ８に関するネットワーク接続情報を格納する端末情報記憶部３３と、前記デジタル複写機１のオン状態を維持する時間等が予め格納されているスケジューラ３４と、前記特定のホストコンピュータ８Ａに対して前記特定のホストコンピュータ８Ａの電源が入っているか否かを検知する検知信号を送信する検知信号送信部３５と、前記特定のホストコンピュータ８Ａから前記検知信号送信部３５によって送信された検知信号に対する検知応答信号を受信する検知応答信号受信部３６とを備えて構成されている。また、当該電源管理装置は、前記操作表示手段７にパワースイッチ（不図示）を備えることにより、外部からの電源操作を受け付けることも可能なように構成されている。
【００３６】
前記端末情報記憶部３３に格納されている前記各ホストコンピュータ８に関するネットワーク接続情報は、前記各ホストコンピュータ８のアドレス情報等であり、前記シャットダウン情報送信部３１は、前記アドレス情報に基づいて前記シャットダウン情報を送信するように、また、前記検知信号送信部３５は、前記アドレス情報に基づいて、前記特定のホストコンピュータ８Ａにのみ検知信号を送信するように構成されている。
【００３７】
当該デジタル複写機１に対する電源装置の電源管理にかかる動作について図７に示すフローチャートに基づいて説明する。前記スケジューラ３４は、当該デジタル複写機１に電源が投入されると（ＳＢ１）、当該デジタル複写機１の電源が投入されてからの、或いは、当該デジタル複写機が所定のジョブを実行してからの第一の所定時間をカウントするために当該スケジューラ３４に備えている第一の内部カウンタＴと、前記検知信号送信部３５により第二の所定時間毎に送信される前記検知信号の送信時間間隔をカウントするために当該スケジューラ３４に備えている第二の内部カウンタＬと、前記検知信号送信部３５により前記検知信号が送信されてからの第三の所定時間をカウントするために当該スケジューラ３４に備えている第三の内部カウンタＨと、前記シャットダウン情報送信部３１により前記シャットダウン情報を送信してからの第四の所定時間をカウントするために当該スケジューラ３４に備えている第四の内部カウンタＫとをリセットし（ＳＢ２）、前記第一の内部カウンタＴ及び前記第二の内部カウンタＬのカウントを開始する（ＳＢ３、ＳＢ４）。
【００３８】
前記検知信号送信部３５は、前記第二の内部カウンタＬが前記スケジューラ３４に予め格納されている第二の所定の閾値Ｌｔｈを超えたとき（ＳＢ６）、前記端末情報記憶部３３に格納されているアドレス情報に基づいて、前記ＬＡＮ９を介して接続されている主管理端末装置としての前記特定のホストコンピュータ８Ａに対して前記検知信号を送信する（ＳＢ７）。
【００３９】
前記スケジューラ３４は、前記検知信号送信部３５により前記検知信号が送信されると、前記第二の内部カウンタＬをリセットし（ＳＢ８）、前記第三の内部カウンタＨのカウントを開始する（ＳＢ９）。また、前記検知応信号受信部３６により、前記検知信号送信部３５により送信された前記検知信号に対する前記検知応答信号が受信されたときには（ＳＢ１０）、前記第三の内部カウンタＨをリセットし（ＳＢ１１）、後述するステップＳＢ１３へ進む。更に、前記検知応信号受信部３６により、前記検知信号送信部３５により送信された前記検知信号に対する前記検知応答信号が受信されず、前記第三の内部カウンタＨが当該スケジューラ１４に予め格納されている第三の所定の閾値Ｈｔｈを超えたときには（ＳＢ１２）、後述するステップＳＢ１９へ進む。
【００４０】
尚、前記スケジューラ３４は、当該デジタル複写機１に前記操作表示部７により、或いは、前記ＬＡＮ９を介して接続されている複数のホストコンピュータ８の何れかにより、所定のジョブの実行要求であるジョブリクエストが入力され（ＳＢ１３）、当該デジタル複写機１が前記ジョブリクエストに基づいた所定のジョブを実行すると（ＳＢ１４）、再び前記第一の内部カウンタＴをリセットし（ＳＢ１５）、ステップＳＢ４へ戻る。
【００４１】
前記シャットダウン情報送信部３１は、前記スケジューラ３４における前記第一の内部カウンタＴの値が予め前記スケジューラ１４に格納されている第一の所定の閾値Ｔｔｈを超えたとき、つまり、当該デジタル複写機１の電源が投入されてから或いは当該デジタル複写機が所定のジョブを実行してから第一の所定時間が経過したとき（ＳＢ１６）、或いは、前記スケジューラに予め格納されている所定の時刻になったとき（ＳＢ１７）、また或いは、前記操作表示部７に備えられたパワースイッチにより電源オフの操作が行なわれたとき（ＳＢ１８）、更には、上述した前記第三の内部カウンタＨが当該スケジューラ１４に予め格納されている第三の所定の閾値Ｈｔｈを超えたとき（ＳＢ１２）、前記端末情報記憶部３３に格納されているアドレス情報に基づいて、前記ＬＡＮ９を介して接続されている複数のホストコンピュータ８に対して、当該デジタル複写機１への通電を遮断する旨のシャットダウン情報を送信する（ＳＢ１９）。
【００４２】
前記スケジューラ３４は、前記シャットダウン情報送信部３１によって前記シャットダウン情報が送信されると、前記第四の内部カウンタＫのカウントを開始する（ＳＢ２０）。
【００４３】
前記通電制御部３０は、前記第四の内部カウンタＫが前記スケジューラ３４に予め格納されている第四の所定の閾値Ｋｔｈを超えたとき（ＳＢ２１）、当該デジタル複写機１への通電を遮断することにより、当該デジタル複写機１をシャットダウンする（ＳＢ２２）。
【００４４】
上述では、前記シャットダウン情報送信部は、前記端末情報記憶部に格納されているアドレス情報に基づいて、前記ＬＵＮを介して接続されている複数のホストコンピュータ全てに対してシャットダウン情報を送信した場合について説明したが、前記シャットダウン情報送信部は、前記端末情報記憶部に格納されているアドレス情報に基づいて、前記ＬＵＮを介して接続されている複数のホストコンピュータのうち、電源がオン状態になっているホストコンピュータにのみ前記シャットダウン情報を送信する構成としてもよい。例えば、前記端末情報記憶部にアドレス情報が格納されているホストコンピュータに対して、前記ホストコンピュータがオン状態であるか否かの検知信号を送信し、所定時間以内に検知信号が受信できないときに、前記ホストコンピュータがオフ状態となっていると判断して、前記端末情報記憶部に前記アドレス情報とともに前記ホストコンピュータがオフ状態になっていることを関連付けて格納し、前記端末情報記憶部のアドレス情報に基づいて、前記オフ状態になっているホストコンピュータに対してはシャットダウン情報を送信しない構成とすればよい。また或いは、当該デジタル複写機に対して、所定の期間内にジョブリクエストの入力を行なったホストコンピュータのアドレス情報を前記端末情報記憶部に格納し、前記端末情報記憶部に格納したジョブリクエストの入力を行なったホストコンピュータのアドレス情報に基づいてオン状態となっているホストコンピュータを判断し、前記オン状態となっているホストコンピュータと判断されたホストコンピュータにのみシャットダウン情報を送信する構成としてもよい。電源がオン状態のホストコンピュータにのみシャットダウン情報を送信すれば、前記シャットダウン情報を送信する時間を短縮することができ、より速やかに当該デジタル複写機への通電が遮断されることとなり、当該デジタル複写機が無駄に消費する電力を削減することができるのである。
【００４５】
上述では、本発明の電源管理装置をデジタル複写機に適用した場合について説明したが、これに限定するものではなく、適宜、ネットワークを介して複数の端末に接続され、前記複数の端末装置からの操作指示によって所定の動作を行なう電気機器に適用が可能である。
【００４６】
尚、上述した実施形態は、本発明の一例に過ぎず、本発明の作用効果を奏する範囲において各ブロックの具体的構成等を適宜変更設計できることは言うまでもない。
【図面の簡単な説明】
【００４７】
【図１】第一の実施形態におけるネットワークシステムの概略構成の説明図
【図２】デジタル複写機の概略構成の説明図
【図３】第一の実施形態における電源管理にかかる機能ブロック構成の説明図
【図４】第一の実施形態における電源管理にかかる動作を説明するためのフローチャート
【図５】第二の実施形態におけるネットワークシステムの概略構成の説明図
【図６】第二の実施形態における電源管理にかかる機能ブロック構成の説明図
【図７】第二の実施形態における電源管理にかかる動作を説明するためのフローチャート
【符号の説明】
【００４８】
１：デジタル複写機
６：システム制御手段
７：操作表示手段
８：ホストコンピュータ
９：ＬＡＮ
１０：通電制御部
１１：シャットダウン情報送信部
１２：応答情報受信部
１３：端末情報記憶部
１４：スケジューラ
【図２】
2006252084.tif 000003
【図３】
2006252084.tif 000004
【図４】
2006252084.tif 000005
【図６】
2006252084.tif 000006
【図７】
2006252084.tif 000007
【図１】
2006252084.tif 000008
【図５】
2006252084.tif 000009